(57)【要約】【課題】印刷スペースが広くなり、内容物の情報等をたくさん掲載できる袋体を提供する。【解決手段】１枚のシート１２を折り畳み、左右両側縁部及び下縁部をヒートシールすることにより形成される袋体であって、矩形状で、略同一サイズに形成された表面部１３、中間面部１４及び裏面部１５からなり、前記表面部１３と中間面部１４は左右両側縁部及び下縁部がヒートシールされて上縁部に開口部２１を有する袋主体１１が形成され、前記裏面部１５は、一側縁部、下縁部及び上縁部が前記袋主体１１の一側縁部、下縁部及び上縁部にヒートシールされ、残りの他側縁部に捲り用開口部２２が形成され、少なくとも前記表面部１３の外面、中間面部１４の外面及び裏面部１５の外面には、内容物の情報２３が印刷され、前記中間面部１４の外面に印刷された情報２３は、前記裏面部１５を前記袋主体１１から捲り剥がしたときに露出するようにしたことを特徴とする。【選択図】図１
2009029476.tif 000002
【特許請求の範囲】
【請求項１】
１枚のシートを折り畳み、左右両側縁部及び下縁部をヒートシールすることにより形成される袋体であって、
矩形状で、略同一サイズに形成された表面部、中間面部及び裏面部からなり、前記表面部と中間面部は左右両側縁部及び下縁部がヒートシールされて上縁部に開口部を有する袋主体が形成され、
前記表面部は、一側縁部、下縁部及び上縁部が前記袋主体の一側縁部、下縁部及び上縁部にヒートシールされ、残りの他側縁部に捲り用開口部が形成され、
少なくとも前記表面部の外面、中間面部の外面及び裏面部の外面には、内容物の情報が印刷され、前記中間面部の外面に印刷された情報は、前記裏面部を前記袋主体から捲り剥がしたときに露出するようにしたことを特徴とする袋体。
【請求項２】
前記１枚のシートは、帯状に連続する合成樹脂シートであって、幅方向の一側縁に前記中間面部、中間に前記表面部、他側縁に前記裏面部がそれぞれ折り目線を介して設けられ、前記中間面部、前記表面部及び前記裏面部には予め内容物の情報が印刷されていることを特徴とする請求項１記載の袋体。
【請求項３】
前記１枚のシートは、帯状に連続する合成樹脂シートであって、幅方向の一側縁に前記中間面部、中間に前記表面部、他側縁に前記裏面部がそれぞれ折り目線を介して設けられ、前記中間面部、前記表面部及び前記裏面部には予め内容物の情報が印刷されているとともに、前記１枚のシートの長手方向には等間隔に切断線が表示されていることを特徴とする請求項１記載の袋体。
【発明の詳細な説明】
【技術分野】
【０００１】
本発明は、例えば、薬剤、食品あるいは化粧品等を収容する袋体に関する。
【背景技術】
【０００２】
薬剤、食品あるいは化粧品等を収容する袋体は、例えば、特許文献１で知られている。特許文献１の袋体は、合成樹脂シートによって形成され、左右両側縁部、底部がヒートシールされて袋主体が構成されている。袋主体の開口部から薬剤、食品あるいは化粧品等の内容物を収容し、開口部をヒートシールすることにより密封される。
【０００３】
前記シートは、ポリエチレンテレフタレート、アルミ箔、延伸ナイロン、線状低密度ポリエチレンを、この順序に積層することにより構成されている。袋体の開口部の近傍で、一側縁部には切り欠き部が設けられ、この切り欠き部から手指部で切り開くことにより、開封できるようになっている。
【特許文献１】特開２００２−２５５１９８号公報
【発明の開示】
【発明が解決しようとする課題】
【０００４】
前述した特許文献１のものは、袋主体が表面部と裏面部とからなり、表面部と裏面部の左右両側縁部及び底部をヒートシールして構成したものである。従って、袋主体に内容物の情報、例えば、商品名、成分名、効能、使用方法、使用上に注意事項等を印刷しようとしたとき、その印刷面は、袋主体の裏面部と裏面部に限定される。
【０００５】
従って、内容物が、例えば農薬の場合、適用病害に対応する使用方法（希釈倍数、使用量、使用時期、使用回数等）や使用上の注意事項、薬効、薬害の説明等、内容物の情報量が多く、必要事項を印刷しようしても、印刷スペースが狭いために掲載できない。このため、袋主体のサイズを大きくしたり、文字ポイントを小さくせざるを得ない。あるいは、注意事項を印刷した冊子を袋主体に添付することが行なわれているが、コストアップの原因となり、特に冊子等を添付したものは、袋主体と分離されると、使用上の注意事項等が使用者に伝わらないこともあり、特に農薬のような場合に問題が発生する虞がある。
【０００６】
本発明は、前記事情に着目してなされたもので、その目的とするところは、印刷スペースが広くなり、冊子等を添付することなく内容物の情報等をたくさん掲載できる袋体を提供することにある。
【課題を解決するための手段】
【０００７】
本発明は、前記目的を達成するために、請求項１は、１枚のシートを折り畳み、左右両側縁部及び下縁部をヒートシールすることにより形成される袋体であって、矩形状で、略同一サイズに形成された表面部、中間面部及び裏面部からなり、前記表面部と中間面部は左右両側縁部及び下縁部がヒートシールされて上縁部に開口部を有する袋主体が形成され、前記表面部は、一側縁部、下縁部及び上縁部が前記袋主体の一側縁部、下縁部及び上縁部にヒートシールされ、残りの他側縁部に捲り用開口部が形成され、少なくとも前記表面部の外面、中間面部の外面及び裏面部の外面には、内容物の情報が印刷され、前記中間面部の外面に印刷された情報は、前記裏面部を前記袋主体から捲り剥がしたときに露出するようにしたことを特徴とする。
【０００８】
請求項２は、請求項１の前記１枚のシートは、帯状に連続する合成樹脂シートであって、幅方向の一側縁に前記中間面部、中間に前記表面部、他側縁に前記裏面部がそれぞれ折り目線を介して設けられ、前記中間面部、前記表面部及び前記裏面部には予め内容物の情報が印刷されていることを特徴とする。
【０００９】
請求項３は請求項１の前記１枚のシートは、帯状に連続する合成樹脂シートであって、幅方向の一側縁に前記中間面部、中間に前記表面部、他側縁に前記裏面部がそれぞれ折り目線を介して設けられ、前記中間面部、前記表面部及び前記裏面部には予め内容物の情報が印刷されているとともに、前記１枚のシートの長手方向には等間隔に切断線が表示されていることを特徴とする。
【発明の効果】
【００１０】
本発明によれば、印刷スペースが広くなり、冊子等を添付することなく内容物の情報等をたくさん掲載できる。しかも開封する前に裏面部を袋主体から捲り剥がしたとき、情報が露出するようにしたから、内容物を使用する前に使用上の注意事項等を使用者に確実に伝えることができるという効果がある。
【発明を実施するための最良の形態】
【００１１】
以下、本発明の実施の形態を図面に基づいて説明する。
【００１２】
図１は袋体を示し、（ａ）は斜視図、（ｂ）はＡ−Ａ線に沿う断面図、（ｃ）はＢ−Ｂ線に沿う断面図である。図１に示すように、袋主体１１は１枚の合成樹脂シート１２によって形成されている。合成樹脂シート１２は、例えば、ポリプロピレン（表面）、高密度ポリエチレン、アルミ箔、低密度ポリエチレン（裏面）を、この順序に積層することにより構成されている。
【００１３】
袋主体１１は、矩形状の表面部１３、中間面部１４及び裏面部１５からなり、表面部１３と中間面部１４は縦横同一サイズで、裏面部１５は横幅が表面部１３、中間面部１４より僅かに狭く形成されている。中間面部１４の一側縁には折り目線１６を介して綴じ代片１７が連設されている。袋主体１１を構成する表面部１３と中間面部１４の左側縁部１８ａ及び中間面部１４の右側縁部１８ｂは綴じ代片１７が裏面部１５にヒートシールされている。さらに、袋主体１１の下縁部１９はヒートシールされており、上縁部２０には開口部２１が設けられている。
【００１４】
また、袋主体１１の裏面部１５は、右側縁部１５ａ、下縁部１５ｂ及び上縁部１５ｃが中間面部１４にヒートシールされ、残りの左側縁部には捲り用開口部２２が形成されている。従って、袋主体１１は、表面部１３、中間面部１４及び裏面部１５の三層構造であり、上縁部２０の開口部２１から薬剤、食品あるいは化粧品等の内容物が収容され、この開口部２１をヒートシールすることにより封止されるようになっている。
【００１５】
さらに、表面部１３の外面１３ａ、中間面部１４の外面１４ａ及び裏面部１５の外面１５ｄは印刷面に形成され、この印刷面には内容物の情報２３が印刷され、中間面部１４の外面１４ａに印刷された情報２３は、裏面部１５を捲り用開口部２２から捲り剥がして中間面部１４の外面１４ａが情報２３とともに露出するようになっている。また、袋主体１１の開口部２１側における裏面部１５の右側縁部１５ａには切り欠き部２４が中間面部１４及び表面部１３まで貫通して設けられ、切り欠き部２４から手指部で切り開くことにより、開封できるようになっている。
【００１６】
ここで、袋主体１１に表示される情報２３について説明すると、内容物が農薬の場合、例えば、表面部１３の外面１３ａには商品名、製造会社名、販売会社名が印刷されているとともに、開封方法の説明文が印刷されている。中間面部１４の外面１４ａには薬効果、薬害等の説明文及び安全使用上の注意等の説明文が印刷されている。さらに、裏面部１５の外面１５ｄには農薬の使用例として、各種作物名毎の適用病害名、希釈倍数、使用液量、使用時期等の表が印刷されている。また、欄外には、開封する前に、裏面部１５を捲り剥がして中間面部１４の外面１４ａに印刷されている薬効果、薬害等の説明文及び安全使用上の注意等の説明文を読むことを促す注意書きや製造者の連絡先、有効期限等が印刷されている。
【００１７】
このように構成され、内容物が収容された袋体を開封し、内容物を取り出して使用する際には、裏面部１５ａの外面１５ｄに表示されている説明を読むと、裏面部１５を捲り剥がすことが記載されている。そこで、図２に示すように、裏面部１５を捲り用開口部２２から捲り剥がすと、下縁部１５ｂ及び上縁部１５ｃが中間面部１４から剥離されて、中間面部１４の外面１４ａに印刷されている情報２３が露出する。袋主体１１の表面部１３、中間面部１４及び裏面部１５の３面に印刷面があることから、印刷スペースに制約されることはなく、使用者に伝達しようとする情報を印刷でき、使用者にとっても袋主体１１自体に印刷された情報２３によって内容物の内容を正確に知ることができる。
【００１８】
次に、袋体の製造方法について説明する。
【００１９】
図３は袋主体１１の素材である１枚の帯状の合成樹脂シート１２を示し、図３（ａ）（ｂ）に示すように、合成樹脂シート１２は内面１２ａが内側となるようにロール状に巻回されている。合成樹脂シート１２の幅方向一側部の中間面部１４には折り目線１６を介して綴じ代片１７が設けられ、この中間面部１４は折り目線２５aを介して表面部１３が連設され、表面部１３には折り目線２５ｂを介して裏面部１５が連設されている。
【００２０】
図３（ｃ）は合成樹脂シート１２の外面１２ｂを示し、中間面部１４の外面１４ａ、表面部１３の外面１３ａ、裏面部１５の外面１５ａには、前述したように各種情報２３が予め印刷されている。
【００２１】
図４（ａ）は合成樹脂シート１２の内面１２ａが内側になるように、中間面部１４を折り目線２５aから表面部１３の内面側に折り畳んだ状態を示し、このとき綴じ代片１７は折り目線１６から谷折りされている。次に、図４（ｂ）（ｃ）に示すように、裏面部１５を折り目線２５ｂから谷折りすると、裏面部１５が中間面部１４の外面１４ａに重なり、綴じ代片１７は裏面部１５の内面１５ｅに接合する。
【００２２】
この状態で、表面部１３と中間面部１４との間に矩形状で、薄肉のプレート２６を介在し、裏面部１５の右側縁部１８ｂと綴じ代片１７とを矢印方向にヒートシールする。このとき、表面部１３と中間面部１４はプレート２６によって熱影響を受けることはない。次に、プレート２６を介在させたまま、裏面部１５の上縁部１５ｃと中間面部１４とをヒートシールする。このとき、表面部１３と中間面部１４はプレート２６によって熱影響を受けることはない。
【００２３】
次に、プレート２６を表面部１３と中間面部１４との間から抜き取り、中間面部１４と表面部１３との左側縁部及び裏面部１５と中間面部１４との右側縁部（綴じ代片１７に対応する部分）を同時にヒートシールする。次に、裏面部１５の下縁部１５ｂを中間面部１４及び表面部１３に対してヒートシールすると、袋主体１１を構成する表面部１３、中間面部１４及び裏面部１５の左右両側縁部及び下縁部がヒートシールされ、最後に、切断線２７に沿ってカッターによって切断すると、開口部２１及び捲り用開口部２２が開口したままの袋主体１１となる。従って、前述した作用を繰り返すことにより、帯状の合成樹脂シート１２から袋主体１１を連続的に製造することができる。
【００２４】
なお、前記実施形態においては、袋主体の素材を合成樹脂シート１２、例えば、ポリプロピレン（表面）、高密度ポリエチレン、アルミ箔、低密度ポリエチレン（裏面）を、この順序に積層したものを使用したが、本発明は、素材に限定されるものではない。さらに、表面部１３、中間面部１４及び裏面部１５の外面の３面に情報２３を印刷したが、裏面部１５の内面に情報２３を印刷してもよい。
【００２５】
また、前記実施形態においては、内容物として、農薬を収容した袋体について説明したが、化粧品、食品、医薬品あるいは医療器具を収容する袋体として適用できる。特に、菓子類を収容して店頭あるいは自販機で販売する場合、中間面部１４の外面１４ａに印刷された情報２３は、裏面部１５を捲り剥がさない限り見えないため、情報２３を知ることができない。従って、子供向けの菓子袋としての中間面部１４の外面１４ａに「当り」「外れ」の文字を印刷して購買促進を図る袋体としても適用できる。
【００２６】
なお、本発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００２７】
【図１】本発明の第１の実施形態を示し、（ａ）は袋体の斜視図、（ｂ）はＡ−Ａ線に沿う断面図、（ｃ）はＢ−Ｂ線に沿う断面図。
【図２】同実施形態の袋体の裏面部を捲り剥がした状態の斜視図。
【図３】同実施形態の合成樹脂シートを示し、（ａ）は上面図、（ｂ）は側面図、（ｃ）は矢印Ｃ方向から見た図。
【図４】同実施形態の合成樹脂シートを示し、（ａ）は斜視図、（ｂ）は上面図、（ｃ）はＤ−Ｄ線に沿う断面図。
【符号の説明】
【００２８】
１１…袋主体、１２…合成樹脂シート、１３…表面部、１４…中間面部、１５…裏面部、２１…開口部、２２…捲り用開口部、２３…情報
【図１】
2009029476.tif 000003
【図２】
2009029476.tif 000004
【図３】
2009029476.tif 000005
【図４】
2009029476.tif 000006